(57)【特許請求の範囲】
【請求項１】
一対の仕切壁の補強構造であって、前記仕切壁には縦横に走る補強リブが形成され、一対の仕切壁の間には、両端に前記補強リブに噛み合う一の字状もしくは十字状の溝が切り欠かれた棒状補強体が、補強リブと前記一の字状もしくは十字状の溝との噛合せを利用して架け渡されている仕切壁の補強構造。
【請求項２】
一対の仕切壁の間に棒状補強体が架け渡されている仕切壁の補強構造であって、前記一対の仕切壁には、それぞれ、縦横に走る補強リブが形成されているとともに、その補強リブを利用して嵌合部（Ａ）が形成され、前記棒状補強体には、その端部に、前記嵌合部（Ａ）と嵌合できる嵌合部（Ｂ）が形成され、前記嵌合部（Ａ）と前記嵌合部（Ｂ）との嵌合を介して、一対の仕切壁の間に棒状補強体が架け渡され、前記嵌合部（Ａ）の形成は、補強リブへの支持補助具（Ｐ）の付設によるものであり、前記嵌合部（Ｂ）の形成は、棒状補強体の両端部への支持補助具（Ｑ）の付設によるである仕切壁の補強構造。
【請求項３】
浄化槽内が一対の仕切壁によって嫌気処理室、好気処理室、処理水室もしくは沈殿分離室、及び消毒室に区画されている浄化槽であって、前記一対の仕切壁は請求項１又は２に記載の補強構造で補強されている浄化槽。
【発明の詳細な説明】
【０００１】
【発明の属する技術分野】
本発明は、家庭等から排出される屎尿や雑排水を処理する浄化槽及びその槽内に設ける仕切壁の補強構造に関する。
【０００２】
【従来の技術】
浄化槽は、通常、槽内を仕切壁により嫌気濾床室（第１室及び第２室）、好気濾床室、処理水室、消毒室等のいくつもの室（又は槽ともいう。）に区画されている。浄化槽の各槽内の水位は、通常の運転時はほぼ同じであるため、水位差に基づく水圧は仕切壁にかかりにくい。しかし、保守・点検時は、汚泥の引抜き等により水位差が生じるので、水位差に基づく水圧が外槽や仕切壁にかかる。また、浄化槽は、土中に埋め込んで使われる場合が多いので、土圧がかかる場合もある。そこで、浄化槽の外槽や仕切壁は、このような水圧や土圧に耐えて変形しないようにつくる必要がある。
【０００３】
従来の浄化槽の仕切壁の構造（斜視図）の一例を図９に示した。図９（ａ）に示すような金属製アングル（補強材）を後加工で固定する方法、仕切壁全体を厚肉化する方法、オーバーレイにより部分的厚肉化をはかる方法、等によって仕切壁の剛性を高めたのち、対向する一対の仕切壁に支持棒を渡し、ボルト固定もしくはオーバーレイ固定する方法が知られている。
【０００４】
【発明が解決しようとする課題】
しかし、上記方法では、補強のために仕切壁を後加工（補強材の取付）する必要があったり、補強材の取付位置が制限されたり、仕切壁全体の重量が増えたり、等の難点がある。本発明の課題は、補強のための仕切壁の後加工が不要で、補強材の取付位置が制限されず、また、仕切壁を厚肉化することなく（薄肉のままで）仕切壁を補強できる、浄化槽内の仕切壁の補強構造を提供することである。
【０００５】
【課題を解決するための手段】
上記課題を達成するため、本発明では次の構成をとった。すなわち、本発明の接続構造（第１の接続構造）は、
対向する一対の仕切壁（２ａ，２ｂ）の補強構造であって、
前記仕切壁には縦横に走る補強リブ（５，６）が形成され、
一対の仕切壁（２ａ，２ｂ）の間には棒状補強体が前記補強リブ（５，６）を利用して架け渡されている仕切壁の補強構造、である。
【０００６】
ここで、棒状補強体の両端には補強リブに噛み合うように、一の字状もしくは十字状の溝を切り欠き、その棒状補強体を、仕切壁に形成された補強リブの一の字状もしくは十字状の溝と噛み合わせて仕切壁の間に架け渡す。また、仕切壁に縦横に走る補強リブは、通常、仕切壁に一体成形で組み込まれるものである。
【０００７】
本発明は、次の接続構造（第２の接続構造）、すなわち、
対向する一対の仕切壁（２ａ，２ｂ）の間に棒状補強体が架け渡されている仕切壁の補強構造であって、
前記一対の仕切壁（２ａ，２ｂ）には、それぞれ、縦横に走る補強リブ（５，６）が形成されているとともに、その補強リブを利用して嵌合部（Ａとする。）が形成され、
前記棒状補強体には、その端部に、前記嵌合部（Ａ）と嵌合できる嵌合部（Ｂとする。）が形成され、
前記嵌合部（Ａ）と前記嵌合部（Ｂ）との嵌合を介して、一対の仕切壁の間に棒状補強体が架け渡されている、仕切壁の補強構造でもある。
【０００８】
ここで、上記第２の補強構造においては、嵌合部（Ａ）の形成は、好ましくは、補強リブへの支持補助具（Ｐとする。）１２の付設によって行い、嵌合部（Ｂ）の形成は、棒状補強体の両端部への支持補助具（Ｑとする。）１３の付設によって行う。
【０００９】
更に、本発明は、一対の仕切壁（２ａ，２ｂ）によって浄化槽内が、嫌気処理室、好気処理室、処理水室もしくは沈殿分離室、及び消毒室に区画される浄化槽であって、前記一対の仕切壁は上記のいずれかの補強構造で補強されている浄化槽にも関する。
【００１０】
なお、本発明において「嵌合部（Ａ）」は、凹状であっても、凸状であっても、あるいは係止片のようなものであってもよい。要するに、対応する嵌合部（Ｂ）と噛み合い、容易に外すことのできない構造であればよい。「嵌合部（Ｂ）」についても、嵌合部（Ａ）と同様なことが言える。
【００１１】
また、本発明において「棒状補強体」とは、通常の棒状体（中空でないもの）とすることもできるが、重量、経済性、取扱性等の点から中空の棒状体が好ましく、断面形状は多角形（四角を含む）とすることもできるが、強度、取扱性、経済性等の点から円形（管状）が好ましい。
これらの棒状補強体は、ポリ塩化ビニル、ポリエチレン、ポリプロピレン、ジシクロペンタジエン、ＦＲＰ等のプラスチック材料、鉄、アルミニウム、ステンレス等の金属材料から製造できる。
【００１２】
【発明の実施の形態】
以下、発明の実施の形態を図面により更に具体的に説明する。
図１は、本発明に係る浄化槽の槽体の分解斜視図で、（ａ）は浄化槽の上槽、（ｂ）は一部透視した仕切壁及び棒状補強体、（ｃ）は浄化槽の下槽、である。
【００１３】
一対の対向する仕切壁２ａと仕切壁２ｂには各々、その内側面（対向する面）に、縦横に走る補強リブが一体成形により設けられている。この仕切壁２ａ及び仕切壁２ｂを、下槽４に設けた溝状凹部にはめ込んで立設し、その仕切壁２ａと仕切壁２ｂとの間に、縦補強リブ５もしくは横補強リブ６、又はこれら補強リブが交差する近辺の仕切壁を利用して、棒状補強体７を複数本架け渡す。棒状補強体の端部の細工と補強リブ付近の仕切壁の細工は、以下に更に説明する。
【００１４】
図２は、棒状補強体（端部）の一例及びそれが仕切壁に架け渡された状態を示す斜視図である。棒状補強体８の端部は十字状に切り欠かれた構造であり、この十字状の切欠き部が縦横の補強リブの交差部位と噛み合わせられて、仕切壁を支えている。
【００１５】
図３は、棒状補強体（端部）の他の例で、それが仕切壁に架け渡された状態を示す斜視図である。棒状補強体９の端部は一の字状に切り欠かれた構造であり、この一の字状の切欠き部が横補強リブ６と噛み合わせられて、仕切壁を支えている。
なお、図２及び図３に示した構造は、仕切壁２ａと仕切壁２ｂとの内側方向へかかる圧に対しては棒状補強体が支えとなって高い補強力があるが、その反対方向、すなわち仕切壁２ａと仕切壁２ｂとを引き離す方向へかかる圧に対する補強力はそんなに高いものではない。そこで、仕切壁を引き離す方向へかかる圧に対しても補強力のある構造を以下の実施例に示す。
【００１６】
図４は、一対の仕切壁に、それぞれ、縦横に走る補強リブが一体に形成されているとともに、補強リブ５に接続した支持補助具１２の係止片１２ａを利用して、これを、棒状補強体の端部に設けた凹部１４と嵌合させ、仕切壁を支持・補強するものである。図４（ａ）は取付前の状態で、棒状補強体１０を横補強リブ６の上に載せ、図の支持補助具１２の方（矢印方向）へ押しつければ、凹部１４の中へ弾性力のある係止片１２ａがはまり込みんだ後に元の形状に戻り、棒状補強体１０は容易には外れない（ｂ）。この実施例では、仕切壁が浄化槽の槽体に固定された後でも仕切壁の間に棒状補強体を架け渡すことができる。なお、支持補助具１２の係止片１２ａは弾性及び強度に富む必要があるので、支持補助具１２（係止片１２ａを含む）は金属製のものが好ましく用いられる。なお、図５は図４の（ａ）、（ｂ）にそれぞれ対応する正面図である。
【００１７】
図６に、上記図４〜図６の例で用いた支持補助具１３付き棒状補強体１０の平面図（ａ）及び側面図（ｂ）を示した。棒状補強体１０の転がり防止と嵌合のために凹部１４を有する支持補助具（別部品）１３を棒状補強体１０の端部に固着させている。
【００１８】
なお、上記の支持補助具１３付き棒状補強体１０のように、別部品の支持補助具１３を取り付けるのではなく、図７に示すように予め棒状補強体１１を加工してその端部に支持補助機能をもたせることもできる。ただし、長期間の使用に耐えなければならない浄化槽では、図７に示すものよりも図６に示すものの方が耐久性の点で好ましい。
【００１９】
図８は、仕切壁２ａと仕切壁２ｂとを引き離す方向へ圧力がかかった場合の、仕切壁と支持補助具付き棒状補強体１０の動きを説明する平面図である。棒状補強体１０に固着させている支持補助具１３の凹部１４の切欠き幅を、仕切壁の変形量に合わせて穿けておけば、仕切壁が引き離される方向へ圧力がかかっても、棒状補強体は仕切壁から外れない。
【００２０】
【発明の効果】
本発明の第１の接続構造によれば、補強のための仕切壁の後加工が不要で、補強材の取付位置が制限されず、また、仕切壁を厚肉化することなく（薄肉のままで）仕切壁を補強できる。
本発明の第２の接続構造によれば、補強のための仕切壁の後加工が不要で、補強材の取付位置が制限されず、また、仕切壁を厚肉化することなく（薄肉のままで）仕切壁を補強できる上に、一対の仕切壁を引き離す方向の圧力に対しても、相当の抵抗力（補強力）がある。
本発明の浄化槽によれば、仕切壁を厚肉化することなく（薄肉のままで）仕切壁を補強でき、耐久力に優れる。
【図面の簡単な説明】
【図１】本発明に係る浄化槽の槽体の分解斜視図。（ａ）は浄化槽の上槽、（ｂ）は一部透視した仕切壁及び棒状補強体、（ｃ）は浄化槽の下槽。
【図２】一例の棒状補強体が仕切壁に取り付けられた状態を示す斜視図。
【図３】他の例の棒状補強体が仕切壁に取り付けられた状態を示す斜視図。
【図４】また別の例の棒状補強体の仕切壁への取付方法の斜視図。（ａ）は取付前、（ｂ）は取付後。
【図５】図６（ａ）（ｂ）に対応する正面図。（ａ）は取付前、（ｂ）は取付後。
【図６】図４〜図６の例で用いた支持補助具付き棒状補強体の平面図（ａ）及び側面図（ｂ）。
【図７】図４〜図６の例で用いた棒状補強体とは異なる例の棒状補強体の平面図（ａ）、側面図（ｂ）及び正面図（ｃ）。
【図８】仕切壁が引き離される方向へ圧がかかった場合の、仕切壁、棒状補強体及び支持補助具の状態を示す平面図。
【図９】従来の浄化槽の仕切壁の構造例で、（ａ）は斜視図、（ｂ）は正面図。
【符号の説明】
２ａ：仕切壁、  ２ｂ：仕切壁、  ３：上槽、  ４：下槽、  ５：縦補強リブ、６：横補強リブ、  ７，８，９，１０，１１：棒状補強体、  １２：支持補助具（Ｐ）、  １２ａ：係止片、  １３：支持補助具（Ｑ）、  １４，１５：凹部
【図１】
0004126831.tif 000002
【図２】
0004126831.tif 000003
【図３】
0004126831.tif 000004
【図４】
0004126831.tif 000005
【図５】
0004126831.tif 000006
【図６】
0004126831.tif 000007
【図７】
0004126831.tif 000008
【図８】
0004126831.tif 000009
【図９】
0004126831.tif 000010